(57)【要約】【課題】  ＧＰＳ受信機や投受光器等を使用することなくアンテナ方向を簡単に調整し得る開口面アンテナ及びそのアンテナ方向調整方法を提供する。【解決手段】  主反射鏡１０と副反射鏡２０と一次放射器３０とを備えたカセグレンアンテナ１において、副反射鏡２０を、主反射鏡１０の中心軸に沿って変位可能に支持する支持部材１６を設ける。そして、アンテナ方向の調整時には、まず、副反射鏡２０の焦点が主反射鏡１０の焦点からずれるように、副反射鏡２０の位置を調整することにより、アンテナの指向特性を表す電力半値幅を広くして、アンテナ方向を概略調整し、その後、副反射鏡２０の焦点が主反射鏡１０の焦点に一致する方向に、副反射鏡２０の位置を変化させて電力半値幅を狭くし、アンテナ方向を微調整する。この結果、電力半値幅が１度以下で、指向特性の鋭い開口面アンテナであっても、極めて簡単にアンテナ方向を調整できる。【選択図】  図１
2005236426.tif 000002
【特許請求の範囲】
【請求項１】
電波を反射する反射鏡と、該反射鏡の焦点位置に配置された一次放射器と、を備えた開口面アンテナにおいて、
前記反射鏡と前記一次放射器との相対位置若しくは前記反射鏡の開口面積を外部操作によって調整可能に構成してなることを特徴とする開口面アンテナ。
【請求項２】
前記反射鏡は、主反射鏡と、該主反射鏡と前記一次放射器との間で電波を中継する副反射鏡とからなり、
該副反射鏡の位置又は該副反射鏡の開口面積を外部操作によって調整可能に構成してなることを特徴とする請求項１に記載の開口面アンテナ。
【請求項３】
前記副反射鏡を前記主反射鏡の中心軸に沿って変位可能に支持する支持部材と、
該支持部材に対して前記副反射鏡を位置決め固定する固定部材と、
を備えたことを特徴とする請求項２に記載の開口面アンテナ。
【請求項４】
前記支持部材又は前記副反射鏡には、通信時及びアンテナ方向調整時の前記副反射鏡の最適位置を指示する目盛若しくはマークが付与されていることを特徴とする請求項３に記載の開口面アンテナ。
【請求項５】
前記副反射鏡の開口面積を調整する調整具として、
外形が前記副反射鏡よりも大きく、且つ、前記副反射鏡よりも径が小さい開口部を有する導電性の環状部材と、
該環状部材を、前記副反射鏡に対して、該副反射鏡と同軸上で且つ前記主反射鏡との対向面に当接するように固定する固定部材と、
を備えたことを特徴とする請求項２に記載の開口面アンテナ。
【請求項６】
前記一次放射器を前記反射鏡の中心軸に沿って変位可能に支持する支持部材と、
該支持部材に対して前記一次放射器を位置決め固定する固定部材と、
を備えたことを特徴とする請求項１に記載の開口面アンテナ。
【請求項７】
前記支持部材又は前記一次放射器には、通信時及びアンテナ方向調整時の前記一次放射器の最適位置を指示する目盛若しくはマークが付与されていることを特徴とする請求項６に記載の開口面アンテナ。
【請求項８】
電波を反射する反射鏡と、該反射鏡の焦点位置に配置された一次放射器と、を備えた開口面アンテナにおいて、該アンテナからの電波の放射方向を調整するアンテナ方向調整方法であって、
前記開口面アンテナの前記反射鏡と前記一次放射器との相対位置若しくは前記反射鏡の開口面積を、電波の送受信に最適な基準状態から変化させることによって、前記開口面アンテナの利得を一時的に下げて、電力半値幅を広くした後、前記開口面アンテナを介して電波を送受信することにより、アンテナ方向を概略調整し、
その後、前記開口面アンテナの前記反射鏡と前記一次放射器との相対位置若しくは前記反射鏡の開口面積を、電波の送受信に最適な基準状態に戻し、再度、前記開口面アンテナを介して電波を送受信することにより、アンテナ方向を微調整すること、
を特徴とするアンテナ方向調整方法。
【発明の詳細な説明】
【技術分野】
【０００１】
本発明は、反射鏡と一次放射器とを備えた開口面アンテナ及びその開口面アンテナのアンテナ方向調整方法に関する。
【背景技術】
【０００２】
従来より、マイクロ波やミリ波を使った無線通信には、反射鏡と一次放射器とを備えた開口面アンテナが利用されているが、開口面アンテナは、指向特性が鋭く、特に、長距離通信のために、反射鏡の開口面積を広くして、利得を大きくすると、ビーム幅（電力半値幅）が極めて狭くなるため、アンテナ設置時の方向調整が難しいという問題があった。
【０００３】
そこで、従来より、開口面アンテナのアンテナ方向調整を簡単に行う方法として、ＧＰＳ受信機を用いて、開口面アンテナを設置しようとする場所の緯度・経度・高度を実測し、その測定結果と通信相手の設置地点である目標地点の位置とから、開口面アンテナの向き（方位・仰角等）を演算し、その演算結果に基づき、開口面アンテナの向きを調整する方法が提案されている（例えば、特許文献１等参照）。
【０００４】
また、この提案の調整方法では、方向調整の調整対象となる開口面アンテナが通信相手となるアンテナの方向を向いているか否かを確認することができないことから、これら一対のアンテナの内、一方のアンテナには、アンテナの中心軸と同方向にビーム光（レーザ光）を出射する光源を設け、他方のアンテナには、そのビーム光を受光する受光板を設けて、光源から出射されたビーム光が受光板の所定位置にて受光できるようにアンテナ方向を調整する、といったことも提案されている（例えば、特許文献２等参照）。
【特許文献１】特開平７−１３１２２８号公報
【特許文献２】特開２００２−２７１１２４号公報
【発明の開示】
【発明が解決しようとする課題】
【０００５】
しかしながら、上記従来の調整方法では、調整作業を行う際に、開口面アンテナの設置地点を測定するＧＰＳ受信機や、ＧＰＳ受信機による測定結果と目標地点とから開口面アンテナの向き（方位・仰角等）を演算する演算装置、或いは、ビーム光（レーザ光）を投受光するための投受光器（光源及び受光板）、といったアンテナ方向調整用の高価な装置を準備しなければならず、その準備が面倒で、しかも、方向調整に費用がかかるという問題があった。
【０００６】
また特に、アンテナ方向の調整にビーム光（レーザ光）を使用する場合には、ビーム光の投光器（光源）と受光器（受光板）とを２つのアンテナに個々に設置して動作させる必要があるため、各アンテナの設置地点に作業員を配置しなければならず、その調整作業が極めて面倒になるという問題もある。
【０００７】
本発明は、こうした問題に鑑みなされたもので、ＧＰＳ受信機や投受光器といったアンテナ方向調整用の装置を使用することなく、しかも、調整対象となるアンテナの設置地点だけでアンテナ方向を簡単に調整し得る開口面アンテナ、及び、その開口面アンテナのアンテナ方向調整方法を提供することを目的とする。
【課題を解決するための手段】
【０００８】
係る目的を達成するためになされた請求項１に記載の開口面アンテナは、開口面アンテナを構成している反射鏡と一次放射器との相対位置、若しくは、反射鏡の開口面積を、外部操作によって調整可能に構成されている。
【０００９】
従って、この開口面アンテナによれば、反射鏡と一次放射器との相対位置若しくは反射鏡の開口面積を調整することにより、アンテナのビーム幅（電力半値幅）を変化させることができる。
【００１０】
つまり、開口面アンテナにおいて、アンテナの指向特性の鋭さを表す電力半値幅は、アンテナの利得に応じて変化し、アンテナの利得が大きいほど電力半値幅が鋭くなる。また、開口面アンテナの利得は、反射鏡の実効開口面積が大きいほど大きくなる。このため、開口面アンテナを構成している反射鏡と一次放射器との相対位置、若しくは、反射鏡の開口面積を変化させれば、反射鏡の実効開口面積が変化し、この結果、アンテナの利得、延いては、電力半値幅が変化することになる。
【００１１】
そして、このように、本発明の開口面アンテナによれば、アンテナのビーム幅（電力半値幅）を変化させることができることから、アンテナ方向の調整時には、まず、アンテナのビーム幅（電力半値幅）を一時的に広げて、通信相手からの送信電波を受信できるようにアンテナ方向を調整することにより、アンテナ方向を概略調整し、その後、アンテナのビーム幅（電力半値幅）を本来の狭いビーム幅に戻して、アンテナ方向を微調整することにより、指向特性が鋭い開口面アンテナであっても、極めて簡単に方向調整を行うことができるようになる。
【００１２】
また、この方向調整には、開口面アンテナによる信号の受信レベルを測定するレベル測定器を使用すればよく、従来のように、ＧＰＳ受信機やビーム光の投受光器等の方向調整用の装置を別途準備する必要がないため、方向調整を簡単且つ安価に行うことが可能となる。
【００１３】
ところで、開口面アンテナとしては、一つの反射鏡とその反射鏡の焦点位置に配置された一次放射器とで構成されたものと、反射鏡が、主反射鏡と副反射鏡とで構成され、副反射鏡が主反射鏡と一次放射器との間で電波を中継するように配置されたもの（具体的には、カセグレンアンテナ、グレゴリアンテナ等）が知られている。
【００１４】
そして、本発明は、反射鏡と一次放射器とを備えた開口面アンテナであれば、何れのタイプのものでも適用できるが、特に、主反射鏡と副反射鏡とを備えた開口面アンテナの場合には、請求項２に記載のように、副反射鏡の位置又は副反射鏡の開口面積を、外部操作によって調整可能に構成するとよい。
【００１５】
つまり、主反射鏡と副反射鏡とを備えた開口面アンテナの場合、主反射鏡に比べて副反射鏡が小さくなるので、この開口面アンテナを請求項２に記載のように構成すれば、アンテナ方向調整時に、主反射鏡よりも小さい副反射鏡の位置又は開口面積を調整すればよく、主反射鏡の位置又は開口面積を調整するように構成した場合に比べて、調整作業を簡単にすることができる。
【００１６】
また、請求項２に記載の開口面アンテナにおいて、副反射鏡の位置を調整できるようにするための具体的構成としては、請求項３に記載のように、副反射鏡を主反射鏡の中心軸に沿って変位可能に支持する支持部材と、この支持部材に対して副反射鏡を位置決め固定する固定部材とを設けるようにすればよい。
【００１７】
そして、このようにすれば、副反射鏡を支持部材に沿って変位させることにより、アンテナの利得、延いては、ビーム幅（電力半値幅）を簡単に変化させることができるので、アンテナ方向の調整をより簡単に行うことができる。
【００１８】
また、この場合、請求項４に記載のように、支持部材又は副反射鏡に対して、通信時及びアンテナ方向調整時の副反射鏡の最適位置を指示する目盛若しくはマークを付与するようにすれば、アンテナ方向調整時や調整後に副反射鏡を変位させて固定する際に、支持部材又は副反射鏡に付与された目盛やマークを見ながら副反射鏡の位置を調整すればよいので、アンテナ方向の調整時や方向調整後の副反射鏡の位置固定を極めて簡単に行うことができる。
【００１９】
一方、請求項２に記載の開口面アンテナにおいて、副反射鏡の開口面積を調整できるようにするためには、請求項５に記載のように、その調整具として、外形が副反射鏡よりも大きく、且つ、副反射鏡よりも径が小さい開口部を有する導電性の環状部材を別途設け、この環状部材を、副反射鏡と同軸上で且つ主反射鏡との対向面に当接するように、固定部材を介して副反射鏡に固定できるようにするとよい。
【００２０】
つまり、請求項５に記載の開口面アンテナにおいて、固定部材を介して副反射鏡に環状部材を装着すれば、副反射鏡の開口面積が狭くなって、アンテナの利得が低下し、延いては、ビーム幅（電力半値幅）が広くなるので、この調整具を使用すれば、上述した手順でアンテナ方向を簡単に調整することができるようになる。
【００２１】
次に、本発明の開口面アンテナは、反射鏡の数にかかわらず、一次放射器の位置を外部操作によって調整し得るように構成しても、上記と同様の効果を得られる。
そして、このように一次放射器の位置を調整可能に構成する際には、請求項６に記載のように、一次放射器を反射鏡の中心軸に沿って変位可能に支持する支持部材と、この支持部材に対して一次放射器を位置決め固定する固定部材とを設けるようにすればよい。
【００２２】
つまり、このように構成すれば、一次放射器を支持部材に沿って変位させることにより、アンテナの利得、延いては、ビーム幅（電力半値幅）を簡単に変化させることができるので、アンテナ方向の調整を簡単に行うことができる。
【００２３】
また、この場合、請求項７に記載のように、支持部材又は一次放射器に対して、通信時及びアンテナ方向調整時の一次放射器の最適位置を指示する目盛若しくはマークを付与するようにすれば、アンテナ方向調整時や調整後に一次放射器を変位させて固定する際に、支持部材又は一次放射器に付与された目盛やマークを見ながら一次放射器の位置を調整すればよいので、アンテナ方向の調整時や方向調整後の一次放射器の位置固定を極めて簡単に行うことができる。
【００２４】
次に、請求項８に記載の発明は、上述した請求項１〜請求項７の何れかに記載の開口面アンテナのアンテナ方向を調整する方法に関する発明であり、開口面アンテナの反射鏡と一次放射器との相対位置若しくは反射鏡の開口面積を、電波の送受信に最適な基準状態から変化させることによって、開口面アンテナの利得を一時的に下げて、電力半値幅を広くした後、開口面アンテナを介して電波を送受信することにより、アンテナ方向を概略調整し、その後、開口面アンテナの反射鏡と一次放射器との相対位置若しくは反射鏡の開口面積を、電波の送受信に最適な基準状態に戻し、再度、開口面アンテナを介して電波を送受信することにより、アンテナ方向を微調整することを特徴とする。
【００２５】
従って、このアンテナ方向調整方法によれば、請求項１〜請求項７の何れかに記載の開口面アンテナのアンテナ方向を調整する際に、従来のように、ＧＰＳ受信機やビーム光の投受光器等の方向調整用の装置を準備する必要がなく、開口面アンテナの方向調整を、そのアンテナの設置地点で簡単且つ安価に行うことができるようになる。
【発明を実施するための最良の形態】
【００２６】
以下に本発明の実施形態を図面と共に説明する。
図１は本発明が適用された実施例のカセグレンアンテナ１の全体構成を表す説明図であり、（ａ）はカセグレンアンテナ１の主反射鏡部分を破断した一部破断側面図、（ｂ）は主反射鏡の反射面側から見た正面図である。
【００２７】
図１に示す如く、本実施例のカセグレンアンテナ１は、反射面が放物面にて形成された主反射鏡１０と、反射面が双曲面にて形成された副反射鏡２０と、円錐ホーンからなる一次放射器３０と、を備える。
【００２８】
主反射鏡１０の中心位置には、一次放射器３０を配置するための孔部１２が穿設されており、その孔部１２の周囲には、主反射鏡１０の後方にて一次放射器３０を支持する支持部材１４のアーム部１４ａが固定されている。つまり、主反射鏡１０の後方には、アーム部１４ａを介して支持部材１４が固定されている。そして、一次放射器３０は、この支持部材１４を介して、ホーンの開口が、主反射鏡１０の孔部１２から主反射鏡１０の焦点を向くように位置決め固定されている。
【００２９】
なお、支持部材１４に固定された一次放射器３０の後端側には、一次放射器３０を介して数十ＧＨｚの電波を送受信するための送・受信機４０が設けられており、その送・受信機４０には、同軸ケーブル４２を介して、外部から通信用の信号を入力したり、電源を供給できるようにされている。
【００３０】
また、主反射鏡１０の外周の上下左右４カ所には、主反射鏡１０の焦点位置近傍に副反射鏡２０を配置する支持部材１６のアーム部１６ａが固定されている。つまり、主反射鏡１０の焦点位置近傍には、一端が主反射鏡１０に固定された４本のアーム部１６ａを介して支持部材１６が固定されている。そして、副反射鏡２０は、この支持部材１６を介して、反射面が主反射鏡１０の反射面と対向するように配置されている。
【００３１】
ところで、カセグレンアンテナ１においては、主反射鏡１０で集波された電波を、副反射鏡２０を介して効率よく一次放射器３０へ中継できるようにするために、通常、副反射鏡２０は、反射面を挟んで両側にある二つの焦点の内、一方が主反射鏡１０の焦点に一致し、他方を一次放射器３０の位相中心と一致した最適通信位置に配置される。
【００３２】
しかし、カセグレンアンテナ１は、指向特性が鋭く、特に、主反射鏡１０の直径が数十ｃｍ以上になると、指向特性の鋭さを表す電力半値幅が数度（場合によっては１度未満）となって、アンテナ方向の調整が極めて面倒になってしまう。
【００３３】
例えば、図３は、主反射鏡１０の直径を９０ｃｍとし、副反射鏡２０の焦点が主反射鏡１０の焦点に一致するように配置したカセグレンアンテナの指向特性の測定結果を表しているが、この測定結果では、アンテナの利得は約４７．０ｄＢと大きな値を確保できたものの、電力半値幅は１度以下（実際には、０．４７５度）となって、受信レベルを測定しながらアンテナの向きを垂直及び水平方向に変化させて方向調整を行うことは困難であることがわかる。
【００３４】
なお、図３において、（ａ）及び（ｂ）は、基準電波を送信する送信アンテナに向けてカセグレンアンテナを配置し、受信レベルが最大となる方位、仰角を中心（０度）として、アンテナの向きを水平方向及び垂直方向にそれぞれ変位させて、基準レベルに対する相対的なレベル変化を測定した測定結果を表している。
【００３５】
そこで、本実施例では、副反射鏡２０を、上述した最適通信位置と、その最適通信位置から焦点がずれた調整位置との間で任意に変更できるようにしている。
すなわち、図２に示すように、本実施例では、副反射鏡２０の支持部材として、副反射鏡２０の反射面とは反対側に、棒状で外周にねじ山が形成された雄ねじ部２２を設け、支持部材１６には、この雄ねじ部２２を螺合可能な雌ねじ部１８を形成することにより、これら各ねじ部２２、１６の螺合によって、副反射鏡２０を主反射鏡１０の中心軸に沿って移動させつつ、副反射鏡２０を任意の位置に位置決めできるようにされている。
【００３６】
また、支持部材１６には、その外周から雌ねじ部１８に向けてねじ孔が穿設されており、そのねじ孔に、固定部材としてのボルト１９を挿通して締め付けることにより、副反射鏡２０を支持部材１６に対して移動不能に固定できるようにされている。
【００３７】
また、副反射鏡２０の雄ねじ部２２には、ねじ山の一部を削ることによって、副反射鏡２０の通信時の最適位置とアンテナ方向調整時の最適位置を表すマーク２２ａが形成されている。
【００３８】
つまり、図２に示すように、このマーク２２ａは、副反射鏡２０の焦点が主反射鏡１０の焦点に一致して通信に最適な最適通信位置とそのときの指向特性、副反射鏡２０の焦点が大きくずれてアンテナ方向の概略調整を行うのに最適な概略調整位置とそのときの指向特性、及び、副反射鏡２０の焦点が少しずれてアンテナ方向の微調整を行うのに最適な微調整位置とそのときの指向特性、をそれぞれ表す３種類のマークからなり、支持部材１６の後端面を各マーク位置に合わせることによって、副反射鏡２０の位置（延いては、当該カセグレンアンテナ１の指向特性）を、通信若しくは方向調整に最適な位置（特性）に設定できるようにされている。
【００３９】
従って、本実施例のカセグレンアンテナ１によれば、その設置時には、まず、副反射鏡２０を概略調整位置に配置することにより、電力半値幅を広げて、通信相手からの送信電波を受信できるようにアンテナ方向を概略調整し、通信相手からの送信電波を受信できるようになると、副反射鏡２０を微調整位置に配置することにより、電力半値幅を狭くして、通信相手からの送信電波の受信レベルが最大となるように、アンテナ方向を微調整し、その後、副反射鏡２０を最適通信位置に配置することにより、電力半値幅をアンテナ本来の狭い半値幅に戻して、ボルト１９を締め付ける、といった手順でアンテナ方向の調整及び副反射鏡２０の位置決め固定を行うことにより、極めて簡単にカセグレンアンテナ１を設置することができるようになる。
【００４０】
つまり、例えば、主反射鏡１０の直径を９０ｃｍとしたカセグレンアンテナの場合、副反射鏡２０を最適通信位置から主反射鏡１０に向けて２１ｍｍ変位させたときの指向特性は、図４に示す如くなり、アンテナの利得は上述した約４７．０ｄＢから約３１．２ｄＢへと低下するものの、電力半値幅は１度以下から３度前後へと増加した。また、副反射鏡２０を最適通信位置から更に変位させれば、電力半値幅が更に大きくなる。よって、受信レベルを測定しながらアンテナの向きを垂直及び水平方向に変化させて方向調整を行う際には、上記のように、副反射鏡２０の位置を変化させてカセグレンアンテナ１の指向特性を劣化させることによって、極めて簡単に方向調整を行うことができるようになるのである。
【００４１】
また、このようにアンテナ方向を調整する際には、単に受信レベルのレベル測定器（所謂レベルチェッカ）を使用すればよく、従来のように、ＧＰＳ受信機やビーム光の投受光器等の方向調整用の装置を別途準備する必要がないため、アンテナ方向の調整を簡単且つ安価に行うことが可能となる。
【００４２】
なお、図２において、（ａ）は副反射鏡２０及び支持部材１６を横方向から見た一部破断側面図であり、（ｂ）は（ａ）の右側面図である。また、図４において、（ａ）、（ｂ）は、図３の（ａ）、（ｂ）と同様の手順で受信レベルを測定した測定結果を表す。
【００４３】
以上、本発明の一実施形態について説明したが、本発明は上記実施例に限定されるものではなく、本発明の技術範囲を逸脱しない範囲内にて、種々の態様を採ることができる。
例えば、上記実施例では、主反射鏡１０及び一次放射器３０に対する副反射鏡２０の位置を変化させることによって指向特性を調整できるように構成されたカセグレンアンテナ１を例に取り、本発明を説明したが、本発明は、例えば、図５に示すように、副反射鏡２０の反射面に、導電性の樹脂又は金属からなる中空円盤状の調整用リング５０を装着するようにしても、上記実施例と同様の効果を得ることができる。
【００４４】
つまり、図５に示すように、副反射鏡２０の反射面に、副反射鏡２０よりも径が小さい開口を有する導電性の調整用リング５０を装着すれば、副反射鏡２０の開口面積を見かけ上小さくすることができる。そして、このように副反射鏡２０の開口面積が小さくなれば、アンテナの利得が低下して、指向特性も低下（つまり、電力半値幅を増大）することから、アンテナ方向の調整時には、副反射鏡２０に調整用リング５０を装着するようにしても、上記実施例と同様にアンテナ方向の調整を簡単に行うことができるようになるのである。
【００４５】
なお、図５において、（ａ）は調整用リング５０が装着された副反射鏡２０をその反射面から見た正面図であり、（ｂ）はその副反射鏡２０を右側から見た一部破断側面図である。
【００４６】
そして、このように調整用リング５０を用いる場合、調整用リング５０の裏面には、図５（ａ）、（ｂ）に示すように、副反射鏡２０に装着した際に副反射鏡２０の裏面に係合して調整用リング５０を副反射鏡２０に固定するための複数の係止片５２を設けるようにするとよい。
【００４７】
一方、このようにカセグレンアンテナ１の指向特性を調整するには、必ずしも副反射鏡２０の位置や開口面積を変化させる必要はなく、主反射鏡１０に固定される一次放射器３０に位置を、変化させるようにしてもよい。
【００４８】
そして、このためには、例えば、図６に示すように、一次放射器３０を主反射鏡１０に固定する支持部材１４にボルト３４を設け、一次放射器３０の側面には、このボルト３４の先端に係合し、一次放射器３０を軸周りに回転させた際に、一次放射器３０を主反射鏡１０の中心軸に沿って変位可能に案内する溝３２を設けるようにするとよい。
【００４９】
つまり、このようにすれば、一次放射器３０を支持部材１４に装着した状態でその軸周りに回転させることによって、一次放射器３０の開口が主反射鏡１０の反射面に一致して指向特性が最も鋭くなる最適通信位置から、一次放射器３０の開口が主反射鏡１０の反射面から突出して指向特性がアンテナ方向の調整に適した特性となる最適調整位置、若しくは、その逆方向へと変位させることができるようになり、上記実施例と同様に、アンテナの方向調整を極めて簡単に行うことが可能となる。
【００５０】
なお、図６において、（ａ）は、支持部材１４に装着された一次放射器３０を主反射鏡１０の後方から見た状態を表す正面図であり、（ｂ）は（ａ）の右側面図であり、（ｃ）は（ｂ）において一次放射器３０を上方から見た平面図である。
【００５１】
そして、この図から明らかなように、一次放射器３０の側面の内、上部半面に溝３２が斜めに形成されており、一次放射器３０を軸周りに回転させると、一次放射器３０がこの溝に沿って回転しつつ軸方向に変位することになる。
【００５２】
また次に、上記実施例では、本発明が適用された開口面アンテナとして、主反射鏡１０と副反射鏡２０との２つの反射鏡を有するカセグレンアンテナを例に取り説明したが、本発明は、カセグレンアンテナと同様、２つの反射鏡を有するグレゴリアンテナであっても、反射鏡を一つだけ有する一般的なパラボラアンテナであっても、或いは、副反射鏡や一次放射器が主反射鏡（若しくは単一の反射鏡）の中心軸からずれたオフセット型パラボラアンテナであっても、上記実施例と同様に適用して、同様の効果を得ることができる。
【００５３】
例えば、図７（ａ）に示すアンテナは、オフセット型で単一の反射鏡６０を有するパラボラアンテナを表しているが、この種のオフセット型パラボラアンテナであれば、一端が反射鏡６０に固定されたアーム部７０に一次放射器３０を固定するための支持部材８０を、一次放射器３０をその軸方向に変位可能に支持できるように構成すればよい。
【００５４】
つまり、図７（ｂ）及び（ｃ）に示す如く、アーム部７０に一次放射器３０を固定するための支持部材８０を、一次放射器３０を挟持可能な上下一対の挟持部８２，８４から構成し、その一方の挟持部８２をアーム部７０の一端に溶接等で一体的に固定し、他方の挟持部８４を挟持部８２に対してボルト７６を介して締め付け固定できるように構成するのである。
【００５５】
そして、このようにすれば、ボルト７６を介して挟持部８２，８４同士を締め付けなければ、一次放射器３０は挟持部８２、８４に挟持された状態で軸方向に移動できることになる。
【００５６】
よって、図７に示したオフセット型パラボラアンテナであっても、上記実施例と同様に、アンテナの指向特性を方向調整及び通信に適した任意の特性に設定できることになり、アンテナ設置時の方向調整を極めて簡単に行うことが可能となる。
【００５７】
但し、このように支持部材８０において一次放射器３０を軸方向に変位させることによって、アンテナの指向特性を調整できるようにする場合、図７（ｂ）に示すように、支持部材８０に直接固定される一次放射器３０の側面（若しくは支持部材８０）には、一次放射器３０の最適通信位置や、アンテナ方向の概略調整及び微調整を行うのに最適な概略調整位置及び微調整位置を表すマーク３６を付与するとよい。
【００５８】
またこの場合、図７（ｂ）に示すように、マーク３６に加えて（或いはマーク３６に代えて）、支持部材８０に対する一次放射器３０の位置を読み取るための目盛３８を、一次放射器３０の側面に形成するようにしてもよい。
【００５９】
なお、図７において、（ｂ）はアーム部７０に取り付けられた一次放射器３０を横方向から見た側面図であり、（ｃ）はその一次放射器３０を後端方向から見た状態を表す正面図である。
【００６０】
また、図７（ａ）に示したオフセット型パラボラアンテナの場合、必ずしも、一次放射器３０の位置調整を行う必要はなく、例えば、図８に示すように、反射鏡６０の一部を上方から被覆可能な調整用カバー９０を設け、アンテナ方向の調整時には、この調整用カバー９０を反射鏡６０に装着することによって、反射鏡６０自体の開口面積を小さくするようにしてもよい。
【００６１】
但し、この場合、調整用カバー９０は、上述した調整用リング５０と同様、導電性を有する樹脂又は金属にて構成する必要はある。
【図面の簡単な説明】
【００６２】
【図１】実施例のカセグレンアンテナ１の全体構成を表す説明図である。
【図２】図１に示す副反射鏡及びその支持部材の構成を表す説明図である。
【図３】副反射鏡の焦点を主反射鏡に一致させたときのカセグレンアンテナの指向特性の測定結果を表す説明図である。
【図４】副反射鏡の焦点を主反射鏡からずらしたときのカセグレンアンテナの指向特性の測定結果を表す説明図である。
【図５】カセグレンアンテナの方向調整時に使用する調整用リングを説明する説明図である。
【図６】主反射鏡に対して一次放射器を変位させる機構を説明する説明図である。
【図７】本発明をオフセット型パラボラアンテナに適用した場合の説明図である。
【図８】オフセット型パラボラアンテナの方向調整時に使用する調整用カバーを説明する説明図である。
【符号の説明】
【００６３】
１…カセグレンアンテナ、１０…主反射鏡、１２…孔部、１４…支持部材、１６…支持部材、１８…雌ねじ部、１９…ボルト、２０…副反射鏡、２２…雄ねじ部、２２ａ…マーク、３０…一次放射器、３２…溝、３４…ボルト、３６…マーク、３８…目盛、４０…送・受信機、４２…同軸ケーブル、５０…調整用リング、５２…係止片、６０…反射鏡、７０…アーム部、７６…ボルト、８０…支持部材、８２，８４…挟持部、９０…調整用カバー。
【図１】
2005236426.tif 000003
【図２】
2005236426.tif 000004
【図３】
2005236426.tif 000005
【図４】
2005236426.tif 000006
【図５】
2005236426.tif 000007
【図６】
2005236426.tif 000008
【図７】
2005236426.tif 000009
【図８】
2005236426.tif 000010